(57)【要約】【課題】鋼帯表面の不均一な乾燥を防ぐために絞りロールの前後で水を吹き付けても、排水処理の負荷を増大させることなく、一定の酸濃度で酸洗できる鋼帯酸洗ラインの排液処理方法および排液処理設備を提供する。【解決手段】鋼帯酸洗ラインの酸洗槽の出側に設けられた絞りロールの前後いずれか一方で鋼帯に水を吹き付けた場合は、吹き付け後の水を絞りロールで除去された酸とともに排水処理槽へ送り、絞りロールの前後いずれにおいても鋼帯に水を吹き付けない場合は、絞りロールで除去された酸を酸洗槽に戻すことを特徴とする鋼帯酸洗ラインの排液処理方法。【選択図】図1
2007224356.tif 000002
【特許請求の範囲】
【請求項１】
鋼帯酸洗ラインの酸洗槽の出側に設けられた絞りロールの前後いずれか一方で鋼帯に水を吹き付けた場合は、吹き付け後の水を絞りロールで除去された酸とともに排水処理槽へ送り、絞りロールの前後いずれにおいても鋼帯に水を吹き付けない場合は、絞りロールで除去された酸を酸洗槽に戻すことを特徴とする鋼帯酸洗ラインの排液処理方法。
【請求項２】
絞りロールにより鋼帯から除去された酸を含む排液を排酸ピットへ送り、酸洗槽に回収する排液系統1と、水洗装置から排出された水を排水ピットへ送り、排水処理槽へ運ぶ排液系統2とを備えた鋼帯酸洗ラインの排液処理設備において、排液系統1と排液系統2が連結され、鋼帯から除去された酸を含む排液をそのまま排液系統1の排酸ピットへ送る、あるいは排液系統2へ切り替えて排水ピットへ送ることが可能な切り替え弁が排液系統1に設けられていることを特徴とする鋼帯酸洗ラインの排液処理設備。
【発明の詳細な説明】
【技術分野】
【０００１】
本発明は、鋼帯を連続的に酸洗、洗浄する鋼帯酸洗ラインの排液処理方法、特に、酸洗後の絞りロールで回収される排液の処理方法および処理設備に関する。
【背景技術】
【０００２】
一般に、熱間圧延後の表面にスケール(酸化膜)が形成された鋼帯は、酸洗槽と絞りロールと水洗装置が順次配置された酸洗ラインで連続的に搬送されながら酸洗、洗浄される。このとき、酸洗槽では、40〜80℃程度に加熱された酸に鋼帯を浸漬して、あるいはこうした酸を鋼帯表面に直接スプレーして、スケールの除去が行われ、絞りロールでは、スケール除去後の鋼帯表面に付着した酸の除去が行われ、水洗装置では、酸が除去された鋼帯の水洗、乾燥が行われる。また、通常は、絞りロールにより除去された酸を酸洗槽に戻して再利用する排液系統と、水洗後の水を排水処理槽へ送る排液系統とを備えた排液処理設備が付帯されており、リサイクルや環境対策への配慮もなされている。
【０００３】
こうした酸洗ラインで鋼帯を酸洗するとき、酸の種類や濃度、ラインスピード、あるいは鋼の種類によっては、絞りロールにより鋼帯に付着した酸を除去する際に鋼帯表面が不均一に乾燥される場合がある。そのため、乾燥部と半乾き部の境では、色調差が発生し、模様状の表面欠陥となって残り、製品の歩留まりを大きく低下させる。
【０００４】
そこで、特許文献1には、絞りロール通過後の鋼帯に水溶液や蒸気、特に、酸洗に使用される酸と同じ塩酸の水溶液や蒸気を接触させて、鋼帯表面の不均一な乾燥を防ぐ方法が提案されている。
【特許文献１】特開平2-270977号公報
【発明の開示】
【発明が解決しようとする課題】
【０００５】
しかしながら、特許文献1に記載の方法のように、酸の水溶液や蒸気を鋼帯に吹き付けると、吹き付けた酸が飛散して周辺の設備を腐食するなどの問題が生じる。特に、ステンレス鋼帯の酸洗に使用される硝弗酸のような強い酸を吹き付けると腐食が激しく起こり、大きな問題となる。
【０００６】
鋼帯表面の不均一な乾燥を防ぐ方法として、酸の代わりに水を吹き付けることも考えられるが、吹き付け後の水は酸洗槽に回収されるので、酸洗槽の酸濃度が低下してしまう。また、絞りロールでの排液を酸洗槽ではなく排水処理槽へ送る排液系統を設ければ、吹き付け後の水が酸洗槽へ混入されることはなくなり、酸濃度の低下を防止できるが、絞りロールにより除去された酸が常時排水処理槽へ送られるので、排水処理の負荷が増大することになる。
【０００７】
本発明は、鋼帯表面の不均一な乾燥を防ぐために絞りロールの前後のいずれか一方または両方で水を吹き付けても、排水処理の負荷を増大させることなく、一定の酸濃度で酸洗できる鋼帯酸洗ラインの排液処理方法および排液処理設備を提供することを目的とする。
【課題を解決するための手段】
【０００８】
上記の目的は、鋼帯酸洗ラインの酸洗槽の出側に設けられた絞りロールの前後いずれか一方で鋼帯に水を吹き付けた場合は、吹き付け後の水を絞りロールで除去された酸とともに排水処理槽へ送り、絞りロールの前後いずれにおいても鋼帯に水を吹き付けない場合は、絞りロールで除去された酸を酸洗槽に戻すことを特徴とする鋼帯酸洗ラインの排液処理方法によって達成される。
【０００９】
本発明の排液処理方法は、絞りロールにより鋼帯から除去された酸を含む排液を排酸ピットへ送り、酸洗槽に回収する排液系統1と、水洗装置から排出された水を排水ピットへ送り、排水処理槽へ運ぶ排液系統2とを備えた鋼帯酸洗ラインの排液処理設備において、排液系統1と排液系統2が連結され、鋼帯から除去された酸を含む排液をそのまま排液系統1の排酸ピットへ送る、あるいは排液系統2へ切り替えて排水ピットへ送ることが可能な切り替え弁が排液系統1に設けられていることを特徴とする鋼帯酸洗ラインの排液処理設備により実現できる。
【発明の効果】
【００１０】
本発明の鋼帯酸洗ラインの排液処理方法により、鋼帯表面の不均一な乾燥を防ぐために絞りロールの前後で水を吹き付けても、排水処理の負荷を増大させることなく、一定の酸濃度で酸洗できるようになった。また、水を吹き付けるだけなので、絞りロール周辺の設備が腐食されることもない。
【発明を実施するための最良の形態】
【００１１】
図1に、本発明である鋼帯酸洗ラインの排液処理設備の一例を示す。酸洗槽2で40〜80℃程度に加熱された酸により酸洗された鋼帯1は絞りロール3へ送られ、鋼帯表面に付着した酸が除去される。このとき、酸洗槽2の酸の種類や濃度、ラインスピード、鋼帯1の種類などによって、鋼帯表面が不均一に乾燥され、乾燥部と半乾き部が生じることがあるが、そのような場合は、絞りロール3の前後に設けた水噴射ノズル51、52から鋼帯1に水が吹き付けられ、鋼帯表面が水で濡れた状態になり、不均一な乾燥部はなくなる。吹き付けられた水は、後述する洗浄水とともに排水ピット8を経て、排水処理槽9へ送られる。そのため、酸洗槽2へは水が混入することがなく、酸洗槽2の酸濃度は常に一定に保たれる。
【００１２】
一方、鋼帯表面が不均一に乾燥されない(均一に乾燥される)場合は、絞りロール3では、鋼帯表面に付着した酸が除去されるだけで、水噴射ノズル51、52から鋼帯1に水が吹き付けられることはない。除去された酸は、排液系統1に設けられた切り替え弁6によりそのまま排液系統1へ送られ、排酸ピット7を経て、酸洗槽2へ戻され、再利用される。
【００１３】
このようにして絞りロール3を通過した鋼帯1は、その後、水洗装置40で、水噴射ノズル53、54から水が吹き付けられ、ブラシロール41を用いて洗浄され、湯洗を経て乾燥される。水洗や湯洗に使用された洗浄水は、排水ピット8を経て排水処理槽9へ送られる。
【００１４】
なお、絞りロール3で水噴射ノズル51、52から鋼帯1に水を吹き付けた場合は、絞りロール3で除去された酸も排液系統2へ送られ、排水ピット8を経て、排水処理槽9へ送られるが、これは水を吹き付けたときのみで、絞りロール3で除去された酸が常時排水処理槽9へ送られるわけではないので、排水処理の負荷を増大させることはない。
【００１５】
また、水噴射ノズル51、52から鋼帯1に吹き付ける水の代わりに、温水や腐食性が弱く、排水処理の負荷を増大させない溶媒を用いることもできる。
【００１６】
実際に、硝弗酸を用いるステンレス鋼帯の酸洗ラインに本発明の排液処理設備を設置し、本発明の排液処理方法を実施したところ、酸原単位を5%向上できた。また、絞りロールで除去した酸を常時排水処理槽へ送る場合に比べ、排水処理の負荷を30%削減できた。
【図面の簡単な説明】
【００１７】
【図１】本発明である鋼帯酸洗ラインの排液処理設備の一例を模式的に示す図である。
【符号の説明】
【００１８】
1  鋼帯
2  酸洗槽
3  絞りロール
40  水洗装置
41  ブラシロール
51  水噴射ノズル
52  水噴射ノズル
53  水噴射ノズル
54  水噴射ノズル
6  切り替え弁
7  排酸ピット
8  排水ピット
9  排水処理槽
【図１】
2007224356.tif 000003